(57)【要約】【課題】操作パネルを有した外蓋において、外蓋の材料コストを低減し、操作パネルの外周と外蓋の隙間に細かいごみなどが侵入することを防止し、外蓋の成形金型のコストを下げることを目的とする。【解決手段】本体１と、本体１の開口を開閉自在に覆う蓋体とを備え、蓋体１４は操作部と表示部を構成する操作基板２２と、操作基板２２を抱持する基板カバー２３と、蓋体１４の上面に位置し一部透明の操作パネル２５と、外蓋１８とを備え、外蓋１８は、蓋体１４の上面外周を形成するリング状とし、操作パネル２５の外周縁は、リング状の、外蓋１８の内周縁位置より外側に位置する構成とすることにより、外蓋の材料コストを低く抑え、パネルと外蓋との上方から見える隙間のない炊飯器を実現することができる。【選択図】図１
2014226343.tif 000002
【特許請求の範囲】
【請求項１】
本体と、前記本体の内部に着脱自在に収納された鍋と、前記本体の開口を開閉自在に覆う蓋体とを備え、前記蓋体は操作部と表示部を構成する操作基板と、操作基板を抱持する基板カバーと、蓋体の上面に位置し一部透明の操作パネルと、外蓋とを備え、前記外蓋は、蓋体の上面外周を形成するリング状とした炊飯器。
【請求項２】
操作パネルの外周縁は、リング状の外蓋の内周縁位置より外側に位置する構成にした請求項１に記載の炊飯器。
【請求項３】
操作パネルの外周縁を、リング状の外蓋の内周縁と基板カバーとの間に挟持し、外蓋と基板カバーとを複数のねじで固着した請求項１に記載の炊飯器。
【発明の詳細な説明】
【技術分野】
【０００１】
本発明は、一般家庭などにおいて使用する炊飯器に関するものである。
【背景技術】
【０００２】
従来、この種の炊飯器は、本体に対して着脱自在に装着された鍋と、開閉自在の蓋体が鍋の上方開放部を覆っている。蓋体を構成する外蓋が操作基板を取り付けた基板カバー、蒸気孔、パネルを抱持する構成をとっている。
【０００３】
図６は、特許文献１に記載された従来の炊飯器の断面図である。図６に示すように、従来の炊飯器は、本体４１の上面開口部を覆う位置には蓋体４２が設けられており、蓋体４２は本体４１の後方に設けられたヒンジ軸４３により回動自在に枢支されている。蓋体４２は、表面中央部にパネル４４を配置した外蓋４５、機器の操作を行うための操作部を配置した操作パネル４４、外蓋４５と操作パネル４４との間に配置した操作基板４６から構成されている。
【０００４】
操作パネル４４の裏面には複数のツメ４７が設けられており、ツメ４７を外蓋４５に貫通させて係合することで同外蓋４５に固定されている。操作パネル４４と外蓋４５との間には、使用時や手入れ時における本体４１の内部への水浸入を防止するために、シール用両面テープ４８が設けられている。
【０００５】
また、図７は特許文献２に記載された他の従来の炊飯器の断面図、図８は特許文献２に記載された他の従来の炊飯器の蓋体の主部分解斜視図である。図７、および図８に示すように、他の従来の炊飯器は、本体５１の後方上部にヒンジ５２を介して軸支された蓋体５３で開閉されるようにしてある。蓋体５３の一部は、透明な樹脂の操作パネル５４で構成されており、その表面は、フィルムで一体に覆われており、部分的にフィルムのみの部分からなるエンボス部を有している。このフィルムで表面を覆われた操作パネル５４と蓋体５３の外周を形成する外蓋５５は一体成形されている。蓋カバー５６には、操作部と表示部を構成する操作基板５７が、基板カバー５８に覆われて設置されている。
【先行技術文献】
【特許文献】
【０００６】
【特許文献１】特開２０１０−１８７８９５号公報
【特許文献２】特開２０１１−２５１０３２号公報
【発明の概要】
【発明が解決しようとする課題】
【０００７】
しかしながら、特許文献１に記載された前記従来の構成の炊飯器では、操作パネルは外蓋にツメで固定し、操作パネルと外蓋との間からの水浸入を防止するために操作パネルと外蓋との間にシール用両面テープを設ける構成としているので、外蓋は本体の上方からの投影面積が大きいため質量が重い部品となっている。外蓋は蓋体の外郭を構成するので、使用者は外蓋には光沢や樹脂ひけなどがない外観品位を要求するので、外蓋は樹脂成形の流動性がよい高価な材料を使う必要があり、外蓋の材料コストが高いという課題を有していた。また、操作パネルの外周と外蓋には本体の上方から見える隙間があるので、細かいごみなどが隙間に侵入するという課題を有していた。
【０００８】
さらに、特許文献２に記載された前記他の従来の構成の炊飯器では、操作パネルと外蓋を一体成形しているので、操作パネルの外周と外蓋には本体の上方から見える隙間はないが、パネルと外蓋を一体成形するための成形金型のコストが高いという課題を有していた。
【０００９】
本発明は、前記従来の課題を解決するもので、外蓋の質量を軽くして外蓋の材料コストが低く、さらに、操作パネルと外蓋との上方から見える隙間がない炊飯器を提供することを目的とする。
【課題を解決するための手段】
【００１０】
前記従来の課題を解決するために、本発明の炊飯器は、本体の開口を開閉自在に覆う蓋体は、操作部と表示部を構成する操作基板と、操作基板を抱持する基板カバーと、蓋体の上面に位置し一部透明の操作パネルと、外蓋とを備え、前記外蓋は、蓋体の上面外周を形成するリング状としたものである。これによって、外蓋は、投影面積が小さいため質量が軽い部品にすることができ、外蓋の材料コストを低く抑えることができる。
【発明の効果】
【００１１】
本発明の炊飯器は、外蓋は、投影面積が小さいため質量が軽い部品にすることができ、外蓋の材料コストを低く抑えることができるとともに、パネルと外蓋との上方から見える隙間をなくすことができる。
【図面の簡単な説明】
【００１２】
【図１】本発明の実施の形態１における炊飯器の断面図
【図２】本発明の実施の形態１における炊飯器の蓋体の主部分解斜視図
【図３】本発明の実施の形態２における炊飯器の蓋体の部分断面図
【図４】本発明の実施の形態３における炊飯器の蓋体のねじ締結部の部分断面図
【図５】本発明の実施の形態３における炊飯器の蓋体のツメ嵌合部の部分断面図
【図６】従来の炊飯器の断面図
【図７】他の従来の炊飯器の断面図
【図８】他の従来の炊飯器の蓋体の主部分解斜視図
【発明を実施するための形態】
【００１３】
第１の発明は、本体と、前記本体の内部に着脱自在に収納された鍋と、前記本体の開口を開閉自在に覆う蓋体とを備え、前記蓋体は操作部と表示部を構成する操作基板と、操作基板を抱持する基板カバーと、蓋体の上面に位置し一部透明の操作パネルと、外蓋とを備え、前記外蓋は、蓋体の上面外周を形成するリング状とすることにより、外蓋の本体の上方からの投影面積が小さいため質量の軽い部品にすることができ、外蓋の材料コストを低く抑えることができる。
【００１４】
第２の発明は、特に、第１の発明の炊飯器の操作パネルの外周縁を、リング状の外蓋の内周縁位置より外側に位置する構成とすることにより、パネルと外蓋との上方から見える隙間をなくして、パネルと外蓋との隙間に細かいごみなどの侵入を防止することができる。また、パネルと外蓋との隙間がないので、外観品位の優れた炊飯器にすることができる。
【００１５】
第３の発明は、特に、第１の発明の操作パネルの外周縁を、リング状の外蓋の内周縁と基板カバーとの間に挟持し、外蓋と基板カバーとを複数のねじで固着する構成とすることにより、基板カバーに抱持された操作基板に配置されたスイッチと操作パネルのスイッチ操作部との距離が安定するので、操作スイッチの操作力のばらつきの少ないスイッチ操作性に優れた炊飯器にすることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における炊飯器の断面図を示すものである。図２は、本発明の第１の実施の形態における炊飯器の蓋体の主部分解斜視図である。
【００１８】
図１、図２において、本体１は上面を構成する上枠２と側面および底面を構成するボディ３でその外郭が構成されている。上枠２は円筒状の穴部を有し、穴部より連なる筒状の保護枠胴４と皿状の保護枠５により有底筒状の鍋６の収納部を構成し、着脱自在に鍋６を収納する。保護枠胴５の外周には側面加熱手段である側面誘導コイル７が巻かれている。そして、保護枠５の底部に設けられた底誘導コイル１０が鍋加熱手段となり、鍋６を誘導加熱し炊飯・保温を行う。
【００１９】
底センサー１１は鍋６の底面に当接して、鍋６の温度を検知し、マイコンへ信号を送る。マイコンは底センサー１１の信号より底誘導コイル１０の通電量を変化させ、鍋６の加熱電力送出部１２から底誘導コイル１０へ供給する高周波電流を可変することで鍋６の温度を炊飯・保温時に適温に制御する。
【００２０】
本体後方で上枠２の上面にはヒンジ部１３が設けられており、蓋体１４がヒンジ部１３にて軸支され、開閉自在に本体上面を覆っている。ヒンジ部１３にはヒンジバネ１５が蓋体１４と本体１双方に係合するように取り付けてあり、蓋体１４に対し開放する方向の付勢力を有している。そして、ヒンジ部１３の後部はヒンジカバー１６がその外郭を覆い、外部よりヒンジ部１３やヒンジバネ１５が見えないようにしている。
【００２１】
本体前方のフックレバー１７はヒンジバネ１５の力に対し、蓋が開かないよう蓋体１４先端に設けたフック嵌合部と嵌合し、閉蓋状態を保つ。フックレバー１７を押すと、フック嵌合部が外れ、蓋はヒンジバネ１５の力で開く。蓋体１４の外周表面をリング状の外蓋１８で構成し、鍋６側は外蓋カバー１９で構成されている。外蓋カバー１９の上面には環状の蓋誘導コイル２０が設けてある。外蓋カバー１９の下面には、加熱板２１が取り付けられている。
【００２２】
蓋体１４の内部には、操作部と表示部を構成する操作基板２２を抱持する基板カバー２３が設置されている。操作基板２２上の液晶２４は炊飯器の設定状態や動作状態を表示する。蓋体１４の上面に位置する。
【００２３】
操作パネル２５は一部を透明な樹脂で構成されており、その表面をフィルムで一体に覆われている。そして、部分的にフィルムのみの部分からなるエンボス部２６を有している。エンボス部２６は上下に撓み、エンボス部２６と操作基板２２上に設けたキートップ２７およびタクトスイッチ２８で操作スイッチを構成し、複数の操作スイッチにより操作部を構成している。
【００２４】
以上のように構成された炊飯器について、以下その動作、作用を説明する。
【００２５】
まず、使用者は炊飯を行う米とその米量に対応する水を鍋６に入れ、本体１の所定の状態にセットする。操作パネル２５の操作部で動作開始操作をすると、あらかじめマイコンに記憶された炊飯プログラムにより、底センサー１１により鍋６の温度を検出し、底誘導コイル８、側面加熱手段７にて鍋６を加熱して炊飯が実施される。
【００２６】
以上のように、本実施の形態においては、外蓋１８を蓋体１４の上面外周に形成し、リング状とすることにより、外蓋１８の本体の上方からの投影面積が小さく、質量の軽い部品となり、外蓋の材料コストを低く抑えることができる。
【００２７】
また、外蓋１８に塗装を施す場合には、外蓋１８は蓋体１４の上面外周を形成しているので、外蓋１８の上面を塗装するに際し、塗装する必要がない面がないので、マスキングする必要がなく、塗装工程を安価で実施することができる。
【００２８】
（実施の形態２）
図３は、本発明の第２の実施の形態の炊飯器の蓋体の部分断面図である。
【００２９】
図３において、操作パネル２５の外周縁２５ａは、リング状の外蓋１８の内周縁１８ａ位置より外側に位置する構成としている。
【００３０】
以上のように、本構成とすることにより、操作パネル２５と外蓋１８との上方から見える隙間がないので、操作パネル２５と外蓋１８との隙間に細かいごみなどの侵入を防止することができる。また、操作パネル２５と外蓋１８との隙間がないので、外観品位の優れた炊飯器にすることができる。
【００３１】
（実施の形態３）
図４は、本発明の第３の実施の形態の炊飯器の蓋体のねじ締結部の部分断面図である。
【００３２】
図４において、操作パネル２５の外周縁を、リング状の外蓋１８の内周縁と基板カバー２３との間に挟持し外蓋１８と基板カバー２３とを複数のねじ２９で固着する構成としている。
【００３３】
以上のように、本構成とすることにより、基板カバー２３に抱持された操作基板２２に配置されたタクトスイッチ２８と操作パネル２５のスイッチ操作部との距離が安定するので、操作スイッチの操作力のばらつきの少ないスイッチ操作性に優れた炊飯器にすることができる。
【００３４】
また、本実施の形態のねじ２９による外蓋１８と基板カバー２３との固着を、図５に示すように、ツメ３０による勘合で構成しても、同様の効果を得ることができる。
【産業上の利用可能性】
【００３５】
以上のように、本発明にかかる炊飯器は、外蓋の投影面積が小さいため質量が軽い部品にすることができ、外蓋の材料コストを低く抑えることができるとともに、パネルと外蓋との上方から見える隙間をなくすことが可能となるので、炊飯器に関わらず、調理器等の用途にも適用できる。
【符号の説明】
【００３６】
１      本体
６      鍋
１４    蓋体
１８    外蓋
１８ａ  外蓋の内周縁
２２    操作基板
２３    基板カバー
２５    操作パネル
２５ａ  操作パネルの外周縁
２９    ねじ
【図１】
2014226343.tif 000003
【図２】
2014226343.tif 000004
【図３】
2014226343.tif 000005
【図４】
2014226343.tif 000006
【図５】
2014226343.tif 000007
【図６】
2014226343.tif 000008
【図７】
2014226343.tif 000009
【図８】
2014226343.tif 000010